(57)【要約】【課題】装着者の腰痛を防止しつつ、姿勢を正すように骨盤を矯正することができる矯正用衣類を提供する。【解決手段】矯正用衣類１は、環状に形成され、装着者Ｕの腰部に配置される腰ベルト部３と、腰ベルト部３よりも下方に位置し、装着者Ｕの前下腹部１０２を覆う前身頃５１と、装着者Ｕの臀部１０５を覆う後身頃５６と、を備えた身頃部５と、装着者Ｕの恥骨１０１を持ち上げるように、上方に向かって締め付ける第一締付部１１と、装着者Ｕの左側腸骨１０３Ａを含む左側臀部１０５Ａおよび右側腸骨１０３Ｂを含む右側臀部１０５Ｂを、尾骨１０７に向かう方向に締め付ける第二締付部１２と、を有する。【選択図】図１
2018183374.tif 000002
【特許請求の範囲】
【請求項１】
環状に形成され、装着者の腰部に配置される腰ベルト部と、
前記腰ベルト部よりも下方に位置し、前記装着者の前下腹部を覆う前身頃と、
前記腰ベルト部よりも下方に位置し、前記装着者の臀部を覆う後身頃と、
前記装着者の恥骨を持ち上げるように、上方に向かって締め付ける第一締付部と、
前記装着者の左側腸骨を含む左側臀部および右側腸骨を含む右側臀部を、尾骨に向かう方向に締め付ける第二締付部と、
を有することを特徴とする矯正用衣類。
【請求項２】
前記第一締付部は、弾性力により前記装着者の前記恥骨を持ち上げるように、上方に向かって締め付け、
前記第二締付部は、弾性力により前記装着者の前記左側腸骨を含む前記左側臀部および前記右側腸骨を含む前記右側臀部を、前記尾骨に向かう方向に締め付ける、
ことを特徴とする請求項１に記載の矯正用衣類。
【請求項３】
前記第一締付部は、前記前身頃において、前記装着者の前記恥骨に対応した位置から前記腰ベルト部に向かって上方に延びていることを特徴とする請求項１または２に記載の矯正用衣類。
【請求項４】
前記第二締付部は、前記前身頃と前記後身頃とにわたって形成されていることを特徴とする請求項１から３のいずれか１項に記載の矯正用衣類。
【請求項５】
前記腰ベルト部の後方縁部は、後方から見て、幅方向における中央部分が前記腰ベルト部の前方縁部よりも下方に位置するように形成されていることを特徴とする請求項１から４のいずれか１項に記載の矯正用衣類。
【請求項６】
前記前身頃における左右の脚ぐりは、前方から見て、それぞれ上方に頂部を有するＶ字状に形成されていることを特徴とする請求項１から５のいずれか１項に記載の矯正用衣類。
【請求項７】
前記矯正用衣類は下着であることを特徴とする請求項１から６のいずれか１項に記載の矯正用衣類。
【発明の詳細な説明】
【技術分野】
【０００１】
この発明は、矯正用衣類に関する。
【背景技術】
【０００２】
従来、人体の腰部や臀部に装着し、装着者の骨盤を矯正するとともに、装着者の姿勢を正すことを目的とするサポータや矯正用衣類が知られている。
【０００３】
例えば、特許文献１に記載の下着は、下臀部から下腹部および腰部に渡って配置された比較的強い引っ張り応力を備えた当て布を有し、この当て布が下臀部を腰部によって上方に引き上げる引上げ端部と、下臀部から下腹部を締め付ける締付け端部と、引上げ端部を締付け端部から分けるように形成された切込み部とを有している。
【先行技術文献】
【特許文献】
【０００４】
【特許文献１】実用新案登録第３１３４７３９号公報
【発明の概要】
【発明が解決しようとする課題】
【０００５】
しかしながら、一般に、下臀部を上方に引き上げる場合、装着者の背筋が反る方向に荷重が加わることとなる。このため、装着者は腰痛になりやすいという問題がある。したがって、従来技術にあっては、装着者の腰痛を防止しつつ、姿勢を正すように骨盤を矯正するという点で改善の余地があった。
【０００６】
そこで、本発明は、上記事情に鑑みたものであって、装着者の腰痛を防止しつつ、姿勢を正すように骨盤を矯正することができる矯正用衣類を提供することを目的とする。
【課題を解決するための手段】
【０００７】
上記の課題を解決するため、本発明の矯正用衣類は、環状に形成され、装着者の腰部に配置される腰ベルト部と、前記腰ベルト部よりも下方に位置し、前記装着者の前下腹部を覆う前身頃と、前記装着者の臀部を覆う後身頃と、を備えた身頃部と、前記装着者の恥骨を持ち上げるように、上方に向かって締め付ける第一締付部と、前記装着者の左側腸骨を含む左側臀部および右側腸骨を含む右側臀部を、尾骨に向かう方向に締め付ける第二締付部と、を有することを特徴としている。
【０００８】
この構成によれば、本発明の矯正用衣類は、装着者の恥骨を持ち上げるように、上方に向かって締め付ける第一締付部を有するので、矯正用衣類の装着者は、恥骨が上方に持ち上げられることにより、腹部が凹むように第一締付部から締付力を受けることができる。
また、本発明の矯正用衣類は、装着者の左側腸骨を含む左側臀部および右側腸骨を含む右側臀部を、尾骨に向かう方向に締め付ける第二締付部を有するので、左側腸骨および右側腸骨を装着者の正中線に向かって斜め下方に締め付けるとともに、仙骨を下方の尾骨に向かって締め付けることができる。これにより、装着者の臀部が引き締められるとともに、背筋を反らすことなく延ばすことができる。
したがって、本発明の矯正用衣類によれば、装着者の腰痛を防止しつつ、姿勢を正すように骨盤を矯正することができる。
【０００９】
また、本発明の矯正用衣類は、前記第一締付部は、弾性力により前記装着者の前記恥骨を持ち上げるように、上方に向かって締め付け、前記第二締付部は、弾性力により前記装着者の前記左側腸骨を含む前記左側臀部および前記右側腸骨を含む前記右側臀部を、前記尾骨に向かう方向に締め付ける、ことを特徴としている。
【００１０】
この構成によれば、第一締付部および第二締付部は、それぞれ弾性力により締め付けるので、締め付けるバンド等を別途設けることなく、例えば伸張可能な生地により矯正用衣類を作成できる。したがって、装着者の腰痛を防止しつつ、姿勢を正すように骨盤を矯正することができる矯正用衣類を低コストに提供することができる。
【００１１】
また、本発明の矯正用衣類は、前記第一締付部は、前記前身頃において、前記装着者の前記恥骨に対応した位置から前記腰ベルト部に向かって上方に延びていることを特徴としている。
【００１２】
この構成によれば、第一締付部は、前身頃において恥骨に対応した位置から腰ベルト部に向かって上方に延びているので、確実に恥骨を上方に持ち上げるように締め付けることができる。したがって、本発明の矯正用衣類によれば、装着者の腰痛を防止しつつ、姿勢を正すように骨盤を矯正することができる。
【００１３】
また、本発明の矯正用衣類は、前記第二締付部は、前記前身頃と前記後身頃とにわたって形成されていることを特徴としている。
【００１４】
この構成によれば、第二締付部は、前身頃と後身頃とにわたって形成されているので、左側腸骨および右側腸骨を装着者の正中線に向かって斜め下方に締め付けるとともに、仙骨を下方の尾骨に向かって締め付けることができる。
さらに、第二締付部は、前身頃と後身頃とにわたって形成されることにより、左右の大転子を覆った状態で締付力を発生することができる。これにより、矯正用衣類の第二締付部は、左右の大転子を下方の尾骨に向かって締め付けることができるので、装着者の臀部がさらに引き締められるとともに、背筋を反らすことなく延ばすことができる。
【００１５】
また、本発明の矯正用衣類は、前記腰ベルト部の後方縁部は、後方から見て、幅方向における中央部分が前記腰ベルト部の前方縁部よりも下方に位置するように形成されていることを特徴としている。
【００１６】
この構成によれば、腰ベルト部の後方縁部は、後方から見て、幅方向における中央部分が腰ベルト部の前方縁部よりも下方に位置するように形成されているので、装着者の背筋が延びたときに、腰ベルト部の後方縁部と干渉するのを抑制できる。したがって、本発明の矯正用衣類によれば、心地よい装着感を維持して腰痛を防止しつつ、姿勢を正すように骨盤を矯正することができる。
【００１７】
また、本発明の矯正用衣類は、前記前身頃における左右の脚ぐりは、前方から見て、それぞれ上方に頂部を有するＶ字状に形成されていることを特徴としている。
【００１８】
この構成によれば、前身頃における左右の脚ぐりは、それぞれ上方に頂部を有するＶ字状に形成されているので、矯正用衣類の装着時において、装着者の腿と脚ぐりとの干渉を抑制し、股や大腿部への負担を軽減できる。したがって、本発明の矯正用衣類によれば、心地よい装着感を維持して腰痛を防止しつつ、姿勢を正すように骨盤を矯正することができる。
【００１９】
また、本発明の矯正用衣類は、下着であることを特徴としている。
【００２０】
この構成によれば、矯正用衣類は、下着であるので、他者に気付かれることなく装着することができる。したがって、本発明によれば、周囲を気にすることなく矯正用衣類を使用することができる。
【発明の効果】
【００２１】
本発明の矯正用衣類によれば、装着者の恥骨を持ち上げるように、上方に向かって締め付ける第一締付部を有するので、矯正用衣類の装着者は、恥骨が上方に持ち上げられることにより、腹部が凹むように第一締付部から締付力を受けることができる。
また、本発明の矯正用衣類は、装着者の左側腸骨を含む左側臀部および右側腸骨を含む右側臀部を、尾骨に向かう方向に締め付ける第二締付部を有するので、左側腸骨および右側腸骨を装着者の正中線に向かって斜め下方に締め付けるとともに、仙骨を下方の尾骨に向かって締め付けることができる。これにより、装着者の臀部が引き締められるとともに、背筋を反らすことなく延ばすことができる。
したがって、本発明の矯正用衣類によれば、装着者の腰痛を防止しつつ、姿勢を正すように骨盤を矯正することができる。
【図面の簡単な説明】
【００２２】
【図１】本発明の実施形態に係る矯正用衣類を前方から見たときの説明図である。
【図２】本発明の実施形態に係る矯正用衣類を後方から見たときの説明図である。
【図３】本発明の実施形態に係る矯正用衣類を装着したときの骨盤に対する作用を示す説明図である。
【発明を実施するための形態】
【００２３】
以下、本発明の実施形態につき図面を参照して説明する。
図１は、本発明の実施形態に係る矯正用衣類を前方から見たときの説明図である。
図２は、本発明の実施形態に係る矯正用衣類を後方から見たときの説明図である。
図１および図２では、ユーザーである装着者Ｕを二点鎖線で図示している。また、図１および図２では、装着者Ｕの骨盤１００について、透過した状態で図示している。また、以下の説明における前後上下左右幅方向は、装着者Ｕから見た前後上下左右幅方向と一致している。
【００２４】
図１および図２に示すように、本実施形態の矯正用衣類１は、いわゆるショーツと呼ばれる女性用の下着である。なお、以下に説明する矯正用衣類１が女性用の下着である場合は、本発明の実施形態の一例である。したがって、本発明が適用される矯正用衣類１は、女性用の下着に限定されない。
本実施形態の矯正用衣類１は、装着者Ｕの下半身に装着されるものであって、例えば全体がポリウレタン繊維や、脂肪族ポリアミド繊維等を合わせて編み込み形成されている。矯正用衣類１は、腰ベルト部３と、身頃部５とを有する。
【００２５】
腰ベルト部３は、矯正用衣類１が装着者Ｕの下半身に装着されたときに、装着者Ｕの腰部のウエストラインに沿って配置される。腰ベルト部３は、環状に形成されている。腰ベルト部３は、周方向に沿って弾性変形可能なゴム編み生地等の弾性繊維素材により形成されており、伸縮性を有している。
腰ベルト部３の直径は、装着者Ｕのウエストサイズよりも若干小さくなるように設定されている。このため、矯正用衣類１は、装着者Ｕが下半身に装着した時に、腰ベルト部３の収縮力によって装着者Ｕの腰部に係止される。
【００２６】
腰ベルト部３の上方に位置する縁部３１のうち、脇中央部よりも前方は前方縁部３１ａとなっており、脇中央部よりも後方は後方縁部３１ｂとなっている。
腰ベルト部３の後方縁部３１ｂは、後方から見て、幅方向における中央部分３１ｃが腰ベルト部３の前方縁部３１ａよりも下方に位置する。具体的に、後方縁部３１ｂは、後方から見て、脇中央部から幅方向における中央部分３１ｃに向かって、下方に傾斜するように形成されている。
【００２７】
身頃部５は、腰ベルト部３の下方に位置しており、前身頃５１と、後身頃５６と、を備える。
前身頃５１は、身頃部５のうち脇中央部よりも前方に位置しており、装着者Ｕの前下腹部１０２を覆っている。前身頃５１は、例えばレース生地等により装飾が施されていてもよい。前身頃５１は、第一締付部１１と、一対の脚ぐり５４，５４を有する。
【００２８】
第一締付部１１は、上下方向に沿って延びる帯状に形成されている。第一締付部１１は、前身頃５１における幅方向の中央に配置されている。第一締付部１１の上端部５３ａは、腰ベルト部３の縁部３１に配置されている。第一締付部１１の下端部５３ｂは、前方から見て、恥骨１０１に対応した位置に配置されている。第一締付部１１の下端部５３ｂは、内股の間に配置される股被覆部５２に接続されている。これにより、第一締付部１１は、前身頃５１において、装着者Ｕの恥骨１０１に対応した位置から腰ベルト部３に向かって上方に延びるように配置されている。
【００２９】
第一締付部１１は、長手方向（すなわち上下方向）に沿って弾性変形可能なゴム編み生地等の弾性繊維素材により形成されており、伸縮性を有している。第一締付部１１は、装着者Ｕが矯正用衣類１を装着した時に、装着者Ｕの恥骨１０１を持ち上げるように、上方に向かって締め付ける（図１における矢印Ｆ１参照）。これにより、矯正用衣類１の装着者Ｕは、恥骨１０１が上方に持ち上げられることにより、腹部が凹むように第一締付部１１から締付力を受ける。
【００３０】
一対の脚ぐり５４，５４は、第一締付部１１および股被覆部５２を挟んで幅方向における両側に設けられている。一対の脚ぐり５４，５４は、装着者Ｕの脚が貫通可能な孔となっている。一対の脚ぐり５４，５４には、それぞれ装着者Ｕの右大腿部と左大腿部とが配置される。ここで、一対（左右）の脚ぐり５４，５４は、前方から見て、それぞれ上方に頂部５４ａ，５４ａを有するＶ字状に形成されている。このため、装着者Ｕは、矯正用衣類１の装着時において、脚ぐり５４，５４が円弧状に形成されている場合と比較し、装着者Ｕの腿（大腿部）と脚ぐり５４，５４との干渉が抑制される。
【００３１】
後身頃５６は、身頃部５のうち脇中央部よりも後方に位置しており、装着者Ｕの臀部１０５を覆っている。後身頃５６の幅方向における中央には、後述の第二締付部１２を構成する左方締付部１２Ａと右方締付部１２Ｂとを縫合する縫合部５７が設けられている。縫合部５７は、上下方向に沿って延びている。具体的に縫合部５７は、上端が腰ベルト部３の後方縁部３１ｂの中央部分３１ｃと接続されており、下端が股被覆部５２に接続されている。後身頃５６は、前身頃５１と同様に、例えばレース生地等により装飾が施されていてもよい。
【００３２】
ここで、身頃部５は、第二締付部１２を有する。第二締付部１２は、前身頃５１と後身頃５６とにわたって形成されており、左方締付部１２Ａと右方締付部１２Ｂとを有する。
左方締付部１２Ａおよび右方締付部１２Ｂは、第一締付部１１と同様に、弾性変形可能なゴム編み生地等の弾性繊維素材により形成されており、伸縮性を有している。左方締付部１２Ａおよび右方締付部１２Ｂは、それぞれ対称形状となるように形成されている。
【００３３】
左方締付部１２Ａの幅方向における一側は、前身頃５１に配置されており、第一締付部１１に接続されている。左方締付部１２Ａの幅方向における他側は、後身頃５６に配置されている。これにより、左方締付部１２Ａは、装着者Ｕが矯正用衣類１を装着した時に、装着者Ｕの左側腸骨１０３Ａを含む左側臀部１０５Ａを覆うように配置される。
【００３４】
右方締付部１２Ｂの幅方向における一側は、前身頃５１に配置されており、第一締付部１１に接続されている。右方締付部１２Ｂの幅方向における他側は、後身頃５６に配置されている。これにより、右方締付部１２Ｂは、装着者Ｕが矯正用衣類１を装着した時に、装着者Ｕの右側腸骨１０３Ｂを含む右側臀部１０５Ｂを覆うように配置される。
【００３５】
上述のように配置された左方締付部１２Ａと右方締付部１２Ｂとは、左方締付部１２Ａの幅方向における他側と、右方締付部１２Ｂの幅方向における他側とが、後身頃５６の幅方向の中央において縫合部５７により互いに縫合されて接続されている。このように、第二締付部１２は、前身頃５１と後身頃５６とにわたって形成される。これにより、左右の大転子１１０Ａ，１１０Ｂを覆った状態で締付力を発生することができる。
【００３６】
第二締付部１２を構成する左方締付部１２Ａは、装着者Ｕが矯正用衣類１を装着した時に、弾性力により装着者Ｕの左側腸骨１０３Ａを含む左側臀部１０５Ａを尾骨１０７に向かう方向に締め付ける。第二締付部１２を構成する右方締付部１２Ｂは、装着者Ｕが矯正用衣類１を装着した時に、弾性力により装着者Ｕの右側腸骨１０３Ｂを含む右側臀部１０５Ｂを尾骨１０７に向かう方向に締め付ける。
すなわち、第二締付部１２は、装着者Ｕが矯正用衣類１を装着した時に、弾性力により装着者Ｕの左側腸骨１０３Ａを含む左側臀部１０５Ａおよび右側腸骨１０３Ｂを含む右側臀部１０５Ｂを、尾骨１０７に向かう方向に締め付ける（図２における矢印Ｆ２参照）。また、このとき、第二締付部１２は、装着者Ｕが矯正用衣類１を装着した時に、仙骨１０９を下方の尾骨１０７に向かって締め付ける。これにより、装着者Ｕの臀部１０５は、第二締付部１２により、左右方向から斜め下方に向かって引き締められる。
【００３７】
以下に、本実施形態の矯正用衣類１の作用について説明する。
上述の実施形態の矯正用衣類１は、環状に形成され、装着者Ｕの腰部に配置される腰ベルト部３と、腰ベルト部３よりも下方に位置し、装着者Ｕの前下腹部１０２を覆う前身頃５１と、装着者Ｕの臀部１０５を覆う後身頃５６と、を備えた身頃部５と、装着者Ｕの恥骨１０１を持ち上げるように、上方に向かって締め付ける第一締付部１１と、装着者Ｕの左側腸骨１０３Ａを含む左側臀部１０５Ａおよび右側腸骨１０３Ｂを含む右側臀部１０５Ｂを、尾骨１０７に向かう方向に締め付ける第二締付部１２と、を有する。
【００３８】
この構成によれば、本実施形態の矯正用衣類１は、装着者Ｕの恥骨１０１を持ち上げるように、上方に向かって締め付ける第一締付部１１を有するので、矯正用衣類１の装着者Ｕは、恥骨が上方に持ち上げられることにより、腹部が凹むように第一締付部１１から締付力を受けることができる。
また、本実施形態の矯正用衣類１は、装着者Ｕの左側腸骨１０３Ａを含む左側臀部１０５Ａおよび右側腸骨１０３Ｂを含む右側臀部１０５Ｂを、尾骨１０７に向かう方向に締め付ける第二締付部１２を有するので、左側腸骨１０３Ａおよび右側腸骨１０３Ｂを装着者の正中線に向かって斜め下方に締め付けるとともに、仙骨１０９を下方の尾骨１０７に向かって締め付けることができる。これにより、装着者Ｕの臀部１０５が引き締められるとともに、背筋を反らすことなく延ばすことができる。
したがって、本実施形態の矯正用衣類１によれば、装着者Ｕの腰痛を防止しつつ、姿勢を正すように骨盤１００を矯正することができる。
【００３９】
また、本実施形態の矯正用衣類１は、第一締付部１１は、弾性力により装着者Ｕの恥骨１０１を持ち上げるように、上方に向かって締め付け、第二締付部１２は、弾性力により装着者Ｕの左側腸骨１０３Ａを含む左側臀部１０５Ａおよび右側腸骨１０３Ｂを含む右側臀部１０５Ｂを、尾骨１０７に向かう方向に締め付ける。
【００４０】
この構成によれば、第一締付部１１および第二締付部１２は、それぞれ弾性力により締め付けるので、締め付けるバンド等を別途設けることなく、例えば伸張可能な生地により矯正用衣類１を作成できる。したがって、装着者Ｕの腰痛を防止しつつ、姿勢を正すように骨盤１００を矯正することができる矯正用衣類１を低コストに提供することができる。
【００４１】
また、本実施形態の矯正用衣類１は、第一締付部１１は、前身頃５１において、装着者Ｕの恥骨１０１に対応した位置から腰ベルト部３に向かって上方に延びている。
【００４２】
この構成によれば、第一締付部１１は、前身頃５１において恥骨１０１に対応した位置から腰ベルト部３に向かって上方に延びているので、確実に恥骨１０１を上方に持ち上げるように締め付けることができる。したがって、本実施形態の矯正用衣類１によれば、装着者Ｕの腰痛を防止しつつ、姿勢を正すように骨盤１００を矯正することができる。
【００４３】
また、本実施形態の矯正用衣類１は、第二締付部１２は、前身頃５１と後身頃５６とにわたって形成されている。
【００４４】
この構成によれば、第二締付部１２は、前身頃５１と後身頃５６にわたって形成されているので、左側腸骨１０３Ａおよび右側腸骨１０３Ｂを装着者Ｕの正中線に向かって斜め下方に締め付けるとともに、仙骨１０９を下方の尾骨１０７に向かって締め付けることができる。
さらに、第二締付部１２は、前身頃５１と後身頃５６とにわたって形成されることにより、左右の大転子１１０Ａ，１１０Ｂを覆った状態で締付力を発生することができる。これにより、矯正用衣類１の第二締付部１２は、左右の大転子１１０Ａ，１１０Ｂを下方の尾骨１０７に向かって締め付けることができるので、装着者Ｕの臀部１０５がさらに引き締められるとともに、背筋を反らすことなく延ばすことができる。
【００４５】
また、本実施形態の矯正用衣類１は、腰ベルト部３の後方縁部３１ｂは、後方から見て、幅方向における中央部分３１ｃが腰ベルト部３の前方縁部３１ａよりも下方に位置するように形成されている。
【００４６】
この構成によれば、腰ベルト部３の後方縁部３１ｂは、後方から見て、幅方向における中央部分３１ｃが腰ベルト部３の前方縁部３１ａよりも下方に位置するように形成されているので、装着者Ｕの背筋が延びたときに、腰ベルト部３の後方縁部３１ｂと干渉するのを抑制できる。したがって、本実施形態の矯正用衣類１によれば、心地よい装着感を維持して腰痛を防止しつつ、姿勢を正すように骨盤１００を矯正することができる。
【００４７】
また、本実施形態の矯正用衣類１は、前身頃５１における左右の脚ぐり５４，５４は、前方から見て、それぞれ上方に頂部を有するＶ字状に形成されている。
【００４８】
この構成によれば、前身頃５１における左右の脚ぐり５４，５４は、それぞれ上方に頂部を有するＶ字状に形成されているので、矯正用衣類１の装着時において、装着者Ｕの腿と脚ぐりとの干渉を抑制し、股や大腿部への負担を軽減できる。したがって、本実施形態の矯正用衣類１によれば、心地よい装着感を維持して腰痛を防止しつつ、姿勢を正すように骨盤１００を矯正することができる。
【００４９】
また、本実施形態の矯正用衣類は、下着であることを特徴としている。
【００５０】
この構成によれば、矯正用衣類１は、下着であるので、他者に気付かれることなく装着することができる。したがって、本実施形態によれば、周囲を気にすることなく矯正用衣類１を使用することができる。
【００５１】
なお、本発明は、図面を参照して説明した上述の実施形態に限定されるものではなく、その技術的範囲において様々な変形例が考えられる。
【００５２】
上述の実施形態では、本発明にかかる矯正用衣類１として、いわゆるショーツと呼ばれる女性用の下着を例に説明をしたが、本発明の適用はショーツに限定されない。したがって、本発明にかかる矯正用衣類１としては、例えばいわゆるガードルやインナーボトム、スパッツパンティストッキング等であってもよい。
また、本発明にかかる矯正用衣類１は、上述の女性用の下着に限定されない。したがって、例えばいわゆるブリーフと呼ばれる男性用の下着であってもよい。
【００５３】
さらに、本発明にかかる矯正用衣類１は、下着に限定されない。したがって、本発明にかかる矯正用衣類１は、例えばカーゴパンツやジーンズ等のズボンであってもよい。
【００５４】
上述の実施形態において、第一締付部１１は、弾性力により装着者Ｕの恥骨を持ち上げるように上方に向かって締め付け、第二締付部１２は、弾性力により装着者Ｕの左側腸骨１０３Ａを含む左側臀部１０５Ａおよび右側腸骨１０３Ｂを含む右側臀部１０５Ｂを、尾骨に向かう方向に締め付けていた。
これに対して、第一締付部１１および第二締付部１２の締め付け力は、弾性力により発生する形態に限定されない。したがって、第一締付部１１および第二締付部１２の締め付け力は、例えば締め付け可能なベルトを利用して発生させてもよい。また、第一締付部１１および第二締付部１２の締め付け力は、例えば面ファスナーを利用して発生させてもよい。
【００５５】
その他、本発明の趣旨を逸脱しない範囲で、上記した実施の形態における構成要素を周知の構成要素に置き換えることは適宜可能である。
【符号の説明】
【００５６】
１  矯正用衣類
３  腰ベルト部
１１  第一締付部
１２  第二締付部
３１ａ  前方縁部
３１ｂ  後方縁部
３１ｃ  中央部分
５１  前身頃
５４  脚ぐり
５６  後身頃
１０１  恥骨
１０２  前下腹部
１０３Ａ  左側腸骨
１０３Ｂ  右側腸骨
１０５  臀部
１０５Ａ  左側臀部
１０５Ｂ  右側臀部
１０７  尾骨
Ｕ  装着者
【図１】
2018183374.tif 000003
【図２】
2018183374.tif 000004
【図３】
2018183374.tif 000005